(57)【要約】【課題】入力ペンが表示画面上にあるときに、入力ペンの向きを検出し、通常の筆記具を使用しているような感覚で入力形態を変えることができる入力制御装置を提供する。【解決手段】表示画面上に情報を表示する表示部４０と、前記表示画面上に入力位置を指示する指示部１０と、前記表示画面の周囲に備えられ、前記入力位置を検出する位置検出信号を出力する位置検出部３０と、前記指示部に備えられ、前記位置検出信号を受信する信号受信部２１と、前記信号受信部の受信信号に基づいて前記表示画面上の入力形態を制御する入力制御部とを備える。【選択図】図２
2010102378.tif 000002
【特許請求の範囲】
【請求項１】
表示画面を有し、その上に情報を表示する表示部と、
前記表示画面上の任意の点に入力位置を指示する指示部と、
前記表示画面の周囲に備えられ、位置検出信号を出力して、前記入力位置を検出する位置検出部と、
前記指示部は、前記位置検出信号を受信する信号受信部と、
前記指示部が入力位置を指示したとき、前記信号受信部の受信結果に基づいて前記指示部の表示画面上への入力形態を制御する入力制御部と
を備えることを特徴とする入力制御装置。
【請求項２】
前記指示部は、ペン状に形成され、前記ペン状の指示部の少なくとも一方の端に前記信号受信部を備える請求項１に記載の入力制御装置。
【請求項３】
前記入力制御部は、前記入力形態を手書き入力と消去、異なる線幅または異なる色に制御する請求項１または２に記載の入力制御装置。
【請求項４】
前記位置検出部は、光反射方式、光走査方式または光イメージセンサー方式の座標入力装置である請求項１に記載の入力制御装置。
【請求項５】
前記指示部は、更に前記信号受信部による受信結果を送信する送信部を備えるとともに、前記入力制御部は更に前記送信部の送信信号を受信する受信部を備える請求項１から３のいずれか１項に記載の入力制御装置。
【請求項６】
表示画面の周囲から位置検出信号を出力して、表示画面に対する指示部からの指示位置を検出する位置検出ステップと、
前記位置検出信号を前記指示部にて受信する信号受信ステップと、
前記指示部にて入力位置を指示したとき、前記指示部にて受信した受信信号の有無に基づいて前記表示画面上の入力形態を制御する入力制御ステップと
を備えることを特徴とする入力制御方法。
【発明の詳細な説明】
【技術分野】
【０００１】
本発明は、表示画面上に入力する入力制御装置及び入力制御方法に関し、特に通常の筆記具を使用しているような感覚で入力形態を変えることができる入力制御装置及び入力制御方法に関する。
【背景技術】
【０００２】
手書き入力装置、いわゆるタッチパネルが多くの入力装置に用いられている。タッチパネルは、アナログ抵抗膜方式、静電容量方式、超音波表面弾性波方式、赤外線遮断方式、反射式光線走査方式、光イメージセンサー方式など多くの方式が開発されている。そして、これらタッチパネルに使用されるペンも特許文献１乃至４のように公知である。
特許文献１は、スタイラスペンの一方の先端に設けた第１のセンサーがペンの向きによって動作したとき手書き入力となり、他方の先端に設けた第２のセンサーがペンの向きによって動作したとき消去となる手書き入力装置である。
特許文献２は、手書き入力ペンに永久磁石を設け、ペンの向きにより永久磁石のＮ極側又はＳ極側のどちらがタブレットに接触又は近接しているかによって、手書き入力動作と、消去動作を判断させるものである。
特許文献３は、ケースの先端より出没可能で、ＬＣ回路の共振周波数を切り換えるスイッチに連動するペン芯を設け、ノックを操作してペン芯が出ているときはペン機能、ペン芯が没しているときはポイント機能とするものである。
特許文献４は、ペンの両端に圧力検出器を設け、圧力検出器によって検出された圧力により、筆圧及び紙面からのペンのわずかな持ち上がりを検出するものである。
【特許文献１】特開平４−１６５５２２号公報
【特許文献２】特開平６−７６１１８号公報
【特許文献３】特開平６−１０２９８９号公報
【特許文献４】特開平６−３１４１５４号公報
【発明の開示】
【発明が解決しようとする課題】
【０００３】
上記特許文献１から４のペンは、ペンに備えたセンサー、永久磁石、共振周波数切り換えスイッチ又は圧力検出器を備え、これらによってペンの向きを検出するものである。このように特許文献１から４のペンは、センサー、永久磁石、スイッチ又は圧力検出器によってペンの向きを検出するものであり、表示画面との関連性がない。
しかしながら、入力ペンは表示画面上に入力するために使用されるものであり、表示画面にペンが接触しているか否かも判断する必要がある。
本発明はこのような点に鑑みて、指示部が表示画面上にあるときに、指示部の向きを検出し、通常の筆記具を使用しているような感覚で入力形態を変えることができる入力制御装置及び入力制御方法を提供することを目的とする。
【課題を解決するための手段】
【０００４】
本発明の入力制御装置は、上記課題を解決するため、表示画面を有し、その上に情報を表示する表示部と、前記表示画面上の任意の点に入力位置を指示する指示部と、前記表示画面の周囲に備えられ、位置検出信号を出力して、前記入力位置を検出する位置検出部と、前記指示部は、前記位置検出信号を受信する信号受信部と、前記指示部が入力位置を指示したとき、前記信号受信部の受信信結果に基づいて前記指示部の表示画面上への入力形態を制御する入力制御部とを備えることを特徴とする。
【０００５】
ここで、指示部は、ペン状に形成され、ペン状指示部の少なくとも一方に、入力位置を検出するための位置信号を受信する信号受信部を備える。また入力制御部は、入力形態を手書き入力と消去、異なる線幅、異なる色に制御する。また位置検出部は、光反射方式、光走査方式または光イメージセンサー方式であり、位置検出信号は光である。従って、指示部の信号受信部は受光素子によって構成される。
【０００６】
本発明は、別の観点によれば、入力制御方法であり、上記課題を解決するため、表示画面の周囲から位置検出信号を出力して、表示画面に対する指示部からの入力位置を検出する位置検出ステップと、前記位置検出信号を前記指示部にて受信する信号受信ステップと、前記指示部にて入力位置を指示したとき、前記指示部にて受信した受信信号の有無に基づいて前記表示画面上の入力形態を制御する入力制御ステップとを備えることを特徴とする。
これにより、指示部が表示画面上にあるときに、指示部の向きを検出し、その検出結果に基づき、入力形態を制御するので、通常の筆記具を使用しているような感覚で入力形態を変えることができる。
【発明の効果】
【０００７】
本発明によれば、指示部が表示画面上にあるときに、指示部の向きを検出し、その検出結果に基づき、入力形態を制御するので、通常の筆記具を使用しているような感覚で入力形態を変えることができる。
【発明を実施するための最良の形態】
【０００８】
図１は本発明の入力制御装置の概略構成図である。
本発明の入力制御装置は、手書き入力ペンよりなる指示部１０、指示部１０の入力位置を検出する座標入力装置３０、パソコンよりなるデータ処理部２０及び例えば、液晶表示装置よりなる表示装置４０を備える。更に、ペンの方向情報を受信し、かつ座標入力装置３０の座標検知用発光部および受光部を駆動するタッチパネル駆動部３５を備え、このタッチパネル駆動部３５は、ペンの方向情報及び座標検知信号をデータ処理部２０に送信する。
ここで、本発明の一実施形態では、表示装置４０は、例えば少なくとも一辺が１ｍ以上の表示画面を備えるような大型の表示装置である。即ち、長辺が１ｍ〜２ｍ、或いはそれ以上の大きさの表示画面であり、壁一面のように非常に大型の表示画面を有する。このように大きい表示画面に、商品の広告画像を表示したり、会議、講演会、説明会、研修会等で使用される資料や情報画像を表示したりする。本発明はこのように大きい表示画面を有する表示装置４０を発明の対象とする。本発明の入力制御装置は、このように大きい表示画面に、指示部によって手書き入力するものである。
指示部１０は、ペン形状に形成され、ユーザが手に持って、表示画面に近づけて手書きにより文字、数字、図、表、絵を入力する。また表示画面上をタッチ入力して指示、命令、操作を行う。このように大型の表示装置４０は、表示画面がほぼ鉛直線方向になるように設置されるので、指示部によって表示画面上に入力する場合、入力者の手より上に入力するとき、指示部は上向きになり、入力者の手より上に入力するとき、下向きになる。本発明は指示部が上向きになったり、下向きになったりしても確実に入力することができるものである。指示部１０の操作は、タッチパネル駆動回路３６によって座標検出され、その座標検出出力はデータ処理部２０に伝送される。データ処理部２０は入力座標を検出し、表示部４０に表示する。同時に指示部の向きが検出され、その検出出力に基づいて入力形態を制御する。
【０００９】
上記指示部１０、座標入力装置３０、データ処理部２０、表示装置４０の詳細を図２のブロック図によって説明する。
指示部１０は、ユーザが手に持ちやすいようにペン型に形成される。この指示部１０の一方の端部に第１光センサー１１、他方の端部に第２光センサー１２を備える。即ち、指示部１０の先端が透明に形成され、指示部１０の先端より入射した光を受光する光検出器が備えられる。光検出器は後述する座標入力装置３０を構成する発光素子より発光した光を受光できる位置に配置される。
この指示部１０の内部にはセンサー信号検出部１３、データ処理部１４、送信部１５、電池１６が備えられる。センサー信号検出部１３は、第１センサー１１または第２センサー１２の出力を検出する。データ処理部１４は第１センサー１１または第２センサー１２のどちらの検出出力であるか判別する。この判別に基づき内部メモリ１４ａまたは１４ｂにデータ（指示部の方向情報）を記憶する。送信部１５はデータ処理部１４によって処理された情報を光または電波によってデータ処理システム２０に送信する。
送信部１５が光によって送信する場合、その発光波長は、座標入力装置３０を構成する発光素子の発光波長と異なることが望ましい。例えば、座標入力装置の発光素子が近赤外光を発光する場合は、送信部１５は遠赤外光を発光する発光素子を使用する。或いは、座標入力装置に赤外光発光素子を用い、送信部１５に赤色発光素子を用いる。又は、座標入力装置３０の発光素子が連続光を発光する場合は、送信部１５の発光素子はパルス発光するように制御する。或いは、座標入力装置３０の発光素子と、送信部１５の発光素子のパルス波形を変化させてもよい。更に座標入力装置は赤外光または赤色であり、送信部１５は電波であってもよい。
【００１０】
データ処理システム２０は、例えば、パソコンよりなり、ＣＰＵ、ＲＯＭ，ＲＡＭ、キーボード、マウスなどを備える。更に、本発明の入力制御装置を構成するために、受信部２１、機能選択処理部２２、データ処理部２３、座標受信部２４、描画演算部２５、描画記憶部２６を備える。これらの各部分は、ＲＯＭに格納されたプログラムをＣＰＵが読み出して、順次各部分を機能させることにより、本発明の入力制御装置を実現する。
受信部２１は、指示部１０の送信部１５より送信された光または電波を受信する部分である。
機能選択処理部２２は、設定情報記憶部２２ａと、機能設定部２２ｂを備え、受信部２０の受信信号に基づいて表示画面上の入力形態を制御する。設定情報記憶部２２ａは、機能設定部２２ｂによって設定された情報を記憶する記憶部であり、第１光センサー１１が光を検出した場合と、第２光センサー１２が光を検出した場合を記憶する。図２の場合は、第１光センサー１１が光を検出した場合は、色は「３」、幅は「３」、機能は「１」が設定されていることを記憶する。また第１光センサー１２が光を検出した場合は、色は「８」、幅は「６」、機能は「１」が設定されていることを記憶する。
機能設定部２２ｂは、指示部１０によって入力を開始する前に予め、パソコンを使用して、第１光センサー１１が光を検出した場合と、第２光センサー１２が光を検出した場合に、ペンの入力形態を設定する部分である。この実施形態では、設定テーブル２２ｃを用いて、色は「１」を選択すると黒、「２」を選択すると赤、「３」を選択すると青、「４」を選択すると緑、「５」を選択すると黄、「６」を選択すると橙、「７」を選択すると茶、「８」を選択すると白を設定できる。ペン幅は、１、３、５，７ｍｍを選択して設定することができる。ペンの線幅は、このように予め設定されたペンの線幅を選択する以外に、任意のペン幅を入力して設定することも可能である。機能としては、「１」を選択するとペン、「２」を選択すると、部分的に消去するための消しゴムを設定することができる。このような設定テーブル２２ｃの設定は、一例であり、他の機能を設定することも可能である。例えば、他の機能としては線形状を丸型または角型に設定してもよい。
【００１１】
データ処理部２３は、指示部１０の入力位置座標をデータ処理する部分である。即ち、指示部１０の表示画面上のＸ座標情報とＹ座標情報を、Ｘ座標記憶部２３ａとＹ座標記憶部２３ｂに記憶する。指示部１０の表示画面上のＸ座標情報とＹ座標情報は、座標検出部３５によって検出され、座標情報送信部３６、座標情報受信部２４より受け取る。
描画演算部２５は、データ処理部２３で処理されたＸ座標情報、Ｙ座標情報に基づき、描画を演算する。そして、その結果は、描画記憶部２６に記憶される。
描画記憶部２６に記憶された描画情報は、表示駆動部４１により液晶表示部４０を表示駆動する。
上記データ処理部２３、描画演算部２５、描画記憶部２６によって、描画システムを構成する。
【００１２】
座標入力装置３０は、液晶表示部４０の前に表示画面の周囲に設置された、いわゆるタブレットであり、指示部１０によって入力された座標位置を検出するため、例えば図３に示すように構成される。図３の座標入力装置３０は、解像度が横１０００×縦５００の場合である。図３に示すように、液晶表示装置４０の上端部にＸＬ＝１〜ＸＬ＝１０００の発光素子を配置する。これら発光素子は液晶表示装置４０の下端に配置された受光素子ＸＲ＝１〜ＸＲ＝１０００の方向に発光する。また液晶表示装置４０の左端部にＹＬ＝１〜ＹＬ＝１０００の発光素子を配置する。これら発光素子は液晶表示装置４０の右端に配置された受光素子ＹＲ＝１〜ＹＲ＝１０００の方向に発光する。
発光素子ＸＬ＝１〜ＸＬ＝１０００は順次発光し、受光素子ＸＲ＝１〜ＸＲ＝１０００が順次受光動作状態とすることにより、Ｘ座標を走査する。また発光素子ＹＬ＝１〜ＹＬ＝１０００は順次発光し、受光素子ＹＲ＝１〜ＹＲ＝１０００が順次受光動作状態とすることにより、Ｙ座標を走査する。発光素子ＸＬ、ＹＬは、赤外線発光素子であり、受光素子ＸＲ、ＹＲは赤外線受光素子であることが望ましい。そして、Ｘ座標を走査している途中に指示部１０によって、光が遮断されたとき、そのＸ座標を指示部の入力位置として検出する。同様にＹ座標を走査している途中に指示部１０によって、光が遮断されたとき、そのＹ座標を指示部の入力位置として検出する。
【００１３】
液晶表示装置４０は、例えば少なくとも一辺が１ｍ以上の表示画面を備えるような大型の表示装置である。即ち、長辺が１ｍ〜２ｍ、或いはそれ以上の大きさの表示画面であり、壁一面のように非常に大型の表示画面を有する。液晶表示装置４０に代えて、プラズマ表示装置のような表示装置を使用してもよい。
【００１４】
以上のように構成される本発明によれば、以下のように使用することができる。
図４（ａ）は、Ｔｙｐｅ１を示し、ペンの持つ方向により色を変えて使用することができることを示す。即ち、一方の端では、色１（例えば、黒色）となり、他方の端では色２（例えば、赤色）となる。
図４（ｂ）は、Ｔｙｐｅ２を示し、ペンの持つ方向によりペンと、消しゴムに変えて使用することができることを示す。即ち、一方の端では、書き込みとなり、他方の端では消しゴムとなる。書き込みの色は、図４（ａ）により任意に設定可能である。
図４（ｃ）は、Ｔｙｐｅ３を示し、ペンの持つ方向によりペン先の太さを変えて使用することができることを示す。即ち、一方の端では、細字となり、他方の端では太字となる。
更に、図４（ｄ）に示すように、書き込みの太さだけでなく、消しゴムの太さも消しゴム大と、消しゴム小に変えることができる。
このように、本発明の入力制御装置は、ペンを持ち替えるだけでペンの機能を変えることができるので、画面上のアイコンをクリックして色や消しゴムを選択する必要がなく、通常の筆記器具を使用しているような感覚で指示部を使用することができる。
【００１５】
図２、図３のように構成される入力制御装置により、図４に示したように指示部を使用するために、図５〜図７に示すフローチャートのように順次処理が実施される。
図５（ｂ）は、図５（ａ）に示すように指示部１０の一方の端に第１センサーｐｅｎ１を備え、他方の端に第２センサーｐｅｎ２を備える場合の指示部１０のフローチャートを示す。
指示部１０がユーザによって手に持たれ、表示画面上に接近させて、タブレットに入力を開始すると、まず、ステップＳ１で指示部１０の内部に備えられたメモリ１４ａに、初期状態で「１」が入っているので、「１」を代入する。次にステップＳ２で、センサーが受光したか、否か判断する。即ち、ペンがタブレットから離れていて、受光できないとき、センサーは受光していないので、ステップＳ２に戻るが、ペンがタブレットに接触または近接して、センサーが受光した場合は、ステップＳ３に進む。ステップＳ３では、第１センサーｐｅｎ１にて受光したか、否か判断する。第１センサーｐｅｎ１が受光していれば、ペンは第１の状態で持たれていると判断して、ステップＳ４で、Ｐ＝１を設定する。しかし第１センサーｐｅｎ１が受光していなければ、ペンは持ち替えられたと判断して、ステップＳ５で、Ｐ＝２を設定する。
次にステップＳ６では、Ｐｎ＝Ｐであるか、否か判断する。即ち、ステップＳ１でＰｎに「１」が代入されており、「１」であれば（ＹＥＳ）、ペンは持ち替えられていないと判断して、ステップＳ２に戻る。ＮＯであれば、即ち、ペンが持ち替えられたので、ステップＳ７で、指示部１０内メモリ１４ａに「Ｐ」、つまり「２」を代入する。次に、ステップＳ８で、メモリ１４ａの情報をデータ処理システム２０へ送信する。このように、ペンは常時ペンの向きを送信するのではなく、ペンが持ち替えられたときだけメモリの情報を送信するので、ペンの消費電力を少なくすることができる。
上記ステップＳ２において、ペンがタブレットから離れてセンサーが受光できなくなり、再度ペンがタブレットに近づけられてセンサーが受光したとき、ペンが持ち替えられていなければ、第１センサーｐｅｎ１が再度受光するので、ステップＳ３ではペンは持ち替えられていないと判断してステップＳ４に移行する。しかし、ペンが持ち替えられて、第２センサーｐｅｎ２が受光すると、ステップＳ３ではペンは持ち替えられたと判断してステップＳ５に移行する。このようにペンがタブレットから離れてもペンが持ち替えられなければ、このフローの動作は同じ処理を繰り返すだけであり、ペンが持ち替えられたときだけ、処理フローが変化する。
【００１６】
次に、座標入力装置３０の処理フローを図６に示すフローチャートにより説明する。
座標入力装置３０が動作を開始すると、座標入力装置３０の座標カウンターＸに「１」を代入する（ステップＳ１１）。座標カウンターＸは、図３に示したＸ座標発光素子と、Ｘ座標受光素子の駆動順を決めるカウンターである。次に、ステップＳ１２で、Ｘ座標受光素子の駆動カウンターに変数ＸＲとしてＸを代入し、ステップＳ１３で、Ｘ座標発光素子の駆動カウンターに変数ＸＬとしてＸを代入する。そして、ステップＳ１４で、Ｘ座標標発光素子の発光素子ＸＬを発光させ、ステップＳ１５で、Ｘ座標標発光素子の受光素子ＸＲが受光したか、否か判断する。受光素子ＸＲで受光した場合は、ステップＳ１６へ移行し、座標カウンターをＸ＝Ｘ＋１する。ステップＳ１７で、Ｘ＞１０００か、否か判断する。つまり、座標カウンターＸが１０００まで進み、発光素子はＸ＝１０００まで順次走査したか、否か判断する。ＮＯであれば、ステップＳ１２に戻り、次のＸ座標受光素子ＸＲ及びＸ座標発光素子ＸＬを駆動させる。ＹＥＳであれば、ステップＳ１１に戻り、最初のＸ座標受光素子ＸＲ及び発光素子ＸＬを駆動させる。
ステップＳ１５で、受光素子ＸＲが受光しない場合、つまり、ペンによって光がさえぎられた場合、ステップＳ１８に進む。このように、受光素子ＸＲが受光しないとき、ペンによって入力が行われたと判断し、このＸの値をＸ座標として、データ処理部２３のＸ座標メモリ２３ａに記憶する。
【００１７】
次に、Ｙ座標を検出するために、座標入力装置３０の座標カウンターＹに「１」を代入する（ステップＳ１９）。座標カウンターＹは、図３に示したＹ座標発光素子と、Ｙ座標受光素子の駆動順を決めるカウンターである。次に、ステップＳ２０で、Ｙ座標発光素子の駆動カウンターに変数ＹＲにＹを代入し、ステップＳ２１で、Ｙ座標発光素子の駆動カウンターに変数ＹＬにＹを代入する。そして、ステップＳ２２で、Ｙ座標標発光素子の発光素子ＹＬを発光させ、ステップＳ２３で、Ｙ座標標受光素子の受光素子ＹＲが受光したか、否か判断する。受光素子ＹＲで受光した場合は、ステップＳ２４へ移行し、座標カウンターをＹ＝Ｙ＋１する。ステップＳ２５で、Ｙ＞５００か、否か判断する。つまり、つまり、座標カウンターＹが５００まで進み、発光素子はＹ＝５００まで順次走査したか、否か判断する。ＮＯであれば、ステップＳ２０に戻り、次のＹ座標受光素子ＹＲ及びＹ座標発光素子ＹＬを駆動させる。ＹＥＳであれば、ステップＳ１１に戻り、最初のＸ座標受光素子ＸＲ及び発光素子ＸＬを駆動させる。
ステップＳ２３で、受光素子ＹＲが受光しない場合、つまり、ペンによって光がさえぎられた場合、ステップＳ２６に進む。受光素子ＹＲが受光しないので、ペンによって入力が行われたと判断し、このＹの値をＹ座標として、データ処理部２３のＹ座標メモリ２３ｂに記憶する。
そして、ステップＳ２７で、変数Ｘ、Ｙの値を描画演算部２５に送る。
【００１８】
次に、描画システムの処理フローを図７に示すフローチャートにより説明する。
描画システムが動作を開始すると、ステップＳ３１で、Ｐｎ＝１を設定する。次に、ステップＳ３２でペン信号を受信したか、否か判断する。ペン信号を受信した場合は、次のステップＳ３３に進み、機能選択処理部２２の設定情報記憶部２２ａに設定されている情報として、ペンの色情報を取得する。ステップＳ３４では、ペンの幅情報を取得する。ステップＳ３５では、ペンの機能情報を取得する。次にステップＳ３６では、図６に示したフローにより、Ｘ、Ｙの座標信号を受信したか、否か判断する。受信していなければ、ステップＳ３２に戻る。座標信号を受信している場合は、ステップＳ３７により、描画演算部２５により描画処理を行う。
このようにして、Ｘ、Ｙの座標信号を受信したとき、描画処理を実施する。
【００１９】
本発明の別の実施形態を図８により説明する。この実施形態は、図８（ａ）に示すように、指示部１０の一方の端にのみセンサーｐｅｎ１を備え、他方の端にセンサーを備えない構造である。つまり、センサーｐｅｎ１が受光する場合は、指示部１０の一方の端に入力があることを検出し、センサーｐｅｎ１が受光しない場合は、指示部１０の他方の端を使用している、或いは指示部が表示画面から離れているとするものである。これにより、センサーの数を少なくし、コストを下げるとともに、指示部を軽量にする。
この実施形態のフローチャートを図８（ｂ）に示すが、このフローチャートは、図５（ｂ）と類似しているが、この実施形態では、図５に示したステップＳ２が省略され、ステップＳ４２でセンサーが受光した場合は、ステップＳ４３に進み、受光していなければステップＳ４４に進む点が相違し、その他は同じである。
上記ステップＳ４２において、ペンがタブレットから離れてセンサーが受光できなくなり、再度ペンがタブレットに近づけられてセンサーが受光したとき、ペンが持ち替えられていなければ、センサーｐｅｎ１が再度受光するので、ステップＳ３ではペンは持ち替えられていないと判断してステップＳ４３に移行する。しかし、ペンが持ち替えられて、センサーｐｅｎ１が受光しなければ、ステップＳ４２ではペンは持ち替えられたと判断してステップＳ４４に移行する。このようにペンがタブレットから離れてもペンが持ち替えられなければ、このフローの動作は同じ処理を繰り返すだけであり、ペンが持ち替えられたときだけ、処理フローが変化する。
そして、ステップＳ４７で、ペン情報が送信されるが、描画システムでは座標信号を受信の有無を判断し（ステップＳ３６）、座標信号を受信したときに、ステップＳ３７で描画処理する。しかしペンが持ち上げられて座標信号を受信しなければ描画処理は実行されない。
【００２０】
上記実施形態に示した指示部１０と、データ処理システム２０は、光または電波のように無線で情報を送信したが、指示部１０とデータ処理システム２０を有線で接続し、有線により情報を送信してもかまわない。
また座標入力装置３０は、図３に示したように、発光素子と受光素子を解像度の数だけ並べて構成したが、この外に、例えば図９に示す反射式光線走査方式、図１０に示す光イメージセンサー方式のような座標入力装置であってもよい。図９の座標入力装置は、液晶表示装置の下端側及び右端側に、発光素子Ｌと受光素子Ｒを交互に並べて配置し、液晶表示装置の上端及び左端に反射板Ｓを配置した構造である。この図９の座標入力装置は、ある１つの発光素子Ｌが発光すると、この発光を上端の反射板Ｓで反射させて上記発光素子Ｌの両側の受光素子Ｒで受光するものである。発光素子Ｌと両側の受光素子Ｒの組み合わせを順次隣へ移動させることにより液晶表示面を走査し、もし、指示部Ａによって発光素子Ｌからの発光が遮断されて、反射板Ｓからの反射が受光素子Ｒで受光できない場合、その受光素子Ｒの位置を入力位置として検出するものである。
図１０の座標入力装置は、液晶表示画面の上側両端部に光学ユニットＨとＫを配置し、左右端部及び下側端部に再帰反射板Ｇを配置し、光学ユニットＨまたはＫから光を走査して、再帰反射板Ｇからの反射光を光学ユニットＨまたはＫで受光し、指示部Ａによって走査光が遮断された場合に、その遮断位置を走査角度に対応した反射光の受光出力に基づいて検出するものである。（例えば、特開２００８―１７１４４４号公報参照）
【図面の簡単な説明】
【００２１】
【図１】本発明の入力制御装置の概略構成図である。
【図２】本発明の入力制御装置の構成を示すブロック図である。
【図３】本発明の入力制御装置に用いられる座標入力装置の構成図である。
【図４】本発明の入力制御装置の使用例を説明する図である。
【図５】本発明の入力制御装置に使用される指示部の処理を説明するフローチャート図である。
【図６】本発明の入力制御装置に使用される座標入力装置の処理を説明するフローチャート図である。
【図７】本発明の入力制御装置に使用される描画装置の処理を説明するフローチャート図である。
【図８】本発明の入力制御装置に使用される別の指示部の処理を説明するフローチャート図である。
【図９】本発明に使用される反射光線走査方式の座標入力装置を示す図である。
【図１０】本発明に使用される光イメージセンサー方式の座標入力装置を示す図である。
【符号の説明】
【００２２】
１０  指示部
１１  第１光センサー
１２  第１光センサー
１３  センサー信号検出部
１４  データ処理部
１５  送信部
２０  データ処理システム
２１  受信部
２２  機能選択処理部
２３  データ処理部
２４  座標受信部
２５  描画演算部
２６  描画記憶部
３０  座標入力装置
３１，３３  光発信部
３２、３４  光受信部
３５  座標検出部
３６  座標送信部
４０  液晶表示装置
４１  表示駆動部
【図１】
2010102378.tif 000003
【図２】
2010102378.tif 000004
【図３】
2010102378.tif 000005
【図４】
2010102378.tif 000006
【図５】
2010102378.tif 000007
【図６】
2010102378.tif 000008
【図７】
2010102378.tif 000009
【図８】
2010102378.tif 000010
【図９】
2010102378.tif 000011
【図１０】
2010102378.tif 000012